(57)【特許請求の範囲】
【請求項１】
刃体を先端に保持するナイフ部と、該ナイフ部の刃体を収納可能な円筒状のカバーとを備えて、前記刃体を前記カバー内に収納した収納位置と、前記刃体を前記カバーから露出した露出位置に、前記ナイフ部を固定可能な医療用ナイフであって、
前記ナイフ部と前記カバーとの間に係止され、前記ナイフ部を前記露出位置から前記収納位置方向へ付勢するばね部材をさらに備え、
前記ナイフ部が、前記カバーに設けられた貫通孔に係止されることにより前記ナイフ部を前記カバーに固定するロック爪と、該ロック爪を前記貫通孔に対して着脱可能に弾性支持するロック爪支持部と、を備え、
前記カバーが、前記ナイフ部を前記収納位置に固定する第一の前記貫通孔と、該第一の前記貫通孔の軸方向で前記刃体を露出させる側に形成され前記ナイフ部を前記露出位置で固定する第二の前記貫通孔と、先端が第二の前記貫通孔と対向する位置に配置され第二の前記貫通孔と前記ロック爪の係止状態を解除可能なロック解除部と、前記カバーの前記刃体を露出させる側の先端に設けられ前記ナイフ部の露出部を挟持して前記刃体の安定を図るホールド部と、を備え、
前記ナイフ部を前記収納位置から前記露出位置にセットする際は、前記ばね部材の弾性に抗して前記ナイフ部を前記カバーから前記刃体を露出させる方向に押込操作して前記ロック爪を第一の前記貫通孔から離脱させると共に、前記ロック爪支持部の弾性により前記ロック爪を第二の前記貫通孔に係止させ、
前記ナイフ部を前記露出位置から前記収納位置に戻す際は、前記ロック解除部により第二の前記貫通孔に係止した前記ロック爪を離脱させ、前記ばね部材の付勢により前記ナイフ部を前記収納位置まで戻して、前記ロック爪支持部の弾性により前記ロック爪を第一の前記貫通孔に係止させ、
前記カバーが、第一の前記貫通孔による前記収納位置とは異なる位置に前記ロック爪を係止させて前記ナイフ部を前記収納位置で固定する第三の前記貫通孔をさらに備え、
前記刃体を前記カバーから露出する際は、第三の前記貫通孔に係止された前記ロック爪を離脱させて第一の前記貫通孔へ係止させた後、第二の前記貫通孔へ係止させることを特徴とする医療用ナイフ。
【請求項２】
前記カバーの内周面に、前記ロック爪を特定の方向にのみ前記貫通孔から係止解除可能にすると共に、前記カバー内での前記ロック爪の移動を案内するロック爪ガイド溝が形成されており、
第三の前記貫通孔が、第一の前記貫通孔の円周方向に形成され、第一の前記貫通孔による前記収納位置から円周方向に回動した位置で前記ナイフ部を固定し、
前記ロック爪ガイド溝が第一の前記貫通孔から第三の前記貫通孔にかけて形成されており、第一の前記貫通孔と第三の前記貫通孔間以外への前記ロック爪の移動を規制することを特徴とする請求項１に記載の医療用ナイフ。
【請求項３】
前記カバーの内周面に、前記ロック爪を特定の方向にのみ前記貫通孔から係止解除可能にすると共に、前記カバー内での前記ロック爪の移動を案内するロック爪ガイド溝が形成されており、
前記ロック爪ガイド溝が、第一の前記貫通孔から第二の前記貫通孔にかけて形成され、
第三の前記貫通孔が、第一の前記貫通孔による収納位置から円周方向に回動した位置から軸方向に延びる孔と、前記ロック爪ガイド溝に至る円周方向の孔からなるＬ字状に形成されることを特徴とする請求項１に記載の医療用ナイフ。
【請求項４】
前記カバーは、前記カバーの軸方向に沿って形成される可動部ガイド孔と、前記カバーの前記刃体を露出する側の端部の内周面に軸方向に沿って形成される可動部ガイド溝と、をさらに備え、
前記ナイフ部は、先端に前記刃体を保持する可動部と、該可動部を弾性支持する弾性支持部と、をさらに備え、
前記可動部は、前記可動部ガイド孔に係合する突出部と、前記可動部ガイド溝に係合可能でかつ前記カバーの内周面又は前記可動部ガイド溝の底面と接する摺接面を有する角度変位部と、前記突出部に設けられ前記可動部ガイド孔の前記刃体露出側の下端である隅角部と突き当たる突当面と、を備え、
前記角度変位部の摺接面が、
前記ロック爪が第一の前記貫通孔から第二の前記貫通孔に至る間に、前記カバーの内周面又は前記可動部ガイド溝の底面と接する基準面と、
前記ロック爪が第二の前記貫通孔に係止されたときに、前記可動部ガイド溝の底面と接して前記基準面とは異なる角度で前記可動部が前記刃体を保持するよう、前記基準面と異なる角度に形成された傾斜面と、から構成され、
前記可動部は、前記突当面で前記可動部ガイド孔の隅角部と突き当たった際に、該隅角部と前記突当面との接点を支点に、前記傾斜面が前記可動部ガイド溝の底面と接するまで回動することを特徴とする請求項１乃至３の何れか一項に記載の医療用ナイフ。
【発明の詳細な説明】
【技術分野】
【０００１】
本発明は、外科手術用のメス等、医療現場で用いられるナイフに係り、特に、刃体をワンタッチで露出及び収納することが可能な医療用ナイフに関する。
【背景技術】
【０００２】
従来から、外科手術等に用いられるメス等の医療用ナイフは、衛生に考慮して一部もしくは全体を使い捨てにするタイプが用いられている。
【０００３】
図２６に、刃体のみを使い捨てにする従来の替刃タイプの医療用ナイフの例を示す。この図に示すように、替刃タイプの医療用ナイフ８０は、チタン合金やステンレス製のハンドル（把持部）８１の先端に、刃体ホルダ８２をセットして使用する。刃体ホルダ８２の先端には、刃体８３が固定されている。使用後には刃体ホルダ８２をハンドル８１から外して廃棄する。ハンドル８１には洗浄、殺菌消毒の処理を施す。
【０００４】
このような替刃タイプの医療用ナイフ８０の場合、使用の都度刃体ホルダ８２をハンドル８１にセットしたりハンドル８１を洗浄及び殺菌消毒したりする必要があり、その手間が煩雑であった。また、刃体ホルダ８２の着脱の際に刃体８３に触れると、刃体８３に雑菌を付着させてしまう可能性や、使用後の刃体８３に付いたウイルスや細菌等の病原体から感染症を引き起こす恐れがあった。
【０００５】
そこで、全体を使い捨てにするディスポーザブルタイプの医療用ナイフも広く用いられている。図２７にディスポーザブルタイプの医療用ナイフの例を示す。この図に示すように、ディスポーザブルタイプの医療用ナイフ９０は、プラスチック等の安価な素材からなるハンドル（把持部）９１と、このハンドル９１の先端に埋め込まれた刃体９３とから構成されている。即ち、ハンドル９１と刃体ホルダが一体に成形されており、使用後には医療用ナイフ９０を丸ごと廃棄する。このような医療用ナイフ９０は、取り扱いが容易であるというメリットがある。
【０００６】
しかしながら、上記したどちらの医療用ナイフ８０、９０の場合も、刃体が常に露出しているという難点があった。一般的に、手術等の外科的処置を行う際には、執刀者のほかに、執刀者の補助を行う補助者が必要となる。そして、執刀者と補助者の間では通常、医療器具の受け渡しが行われるが、医療用ナイフの刃体が露出して剥き出しの状態だと、その受け渡しの際に手指等を傷付ける恐れがある。これは怪我のみならず院内感染等の重大な事態を引き起こしかねない問題である。
【０００７】
そこで本発明者は、刃体の露出と収納が簡単にできる、ディスポーザブルタイプの医療用ナイフをこれまでに開発している（特許文献１参照）。この医療用ナイフは、刃体を保持する刃体ホルダを先端に備えたナイフ部（ナイフ本体）と、このナイフ部と係合する円筒状の部材で、刃体を露出した状態又は内部に収納した状態でナイフ部に対して係止することが可能なカバー（刃体カバー）とから構成される。
【０００８】
この医療用ナイフでは、カバーに収納された刃体を露出させる際は、まずナイフ部を捻るように回動させてカバーとナイフ部のロックを解除し、次いでナイフ部をカバーに対して軸方向にスライドさせる。カバーの先端から刃体を露出させた特定の位置までナイフ部をスライドさせると、ナイフ部はカバーにロックされて、刃体が露出した状態で固定される。
【０００９】
また、カバーに刃体を収納する際にも同様に、ナイフ部を捻るように回動させてカバーとナイフ部のロックを解除し、次いでナイフ部をカバーに対して軸方向にスライドさせる。カバーに刃体を収納した特定の位置までナイフ部をスライドさせると、ナイフ部はカバーにロックされて、刃体が収納された状態で固定される。
【００１０】
このように、刃体の露出も収納も、〔１〕ロック解除（回動操作）、〔２〕刃体の露出又は収納（スライド操作）のツーステップの操作で行うことができる。
【先行技術文献】
【特許文献】
【００１１】
【特許文献１】特許第４７３０９２０号公報
【発明の概要】
【発明が解決しようとする課題】
【００１２】
しかしながら、上記従来の刃体の露出と収納ができるディスポーザブルタイプの医療用ナイフでは、以下のような問題があった。
【００１３】
まず、医療用手袋等を身に付けた執刀者にとっては、上記ツーステップでもその操作を行う手間が煩雑であった。特に、〔１〕ロック解除のための回動操作は、片手でカバーを押さえた状態で、もう一方の手でナイフ部を持って回動させる必要があるため、片手では行えず両手での操作が必要となる。また、上記〔１〕から〔２〕は一連の操作であり、執刀者と補助者で分担して行うことができない。
【００１４】
その結果、補助者が刃体を露出状態にしてから執刀者に受け渡したり、執刀者が刃体を露出状態にしたまま補助者に受け渡したりと、従来のように刃体を露出したまま受け渡しを行う可能性が高く、上述のような手指等を傷付けるという問題を完全に解決することができなかった。
【００１５】
そこで本発明は、上記状況に鑑みて、使用に際して片手のみの簡単な操作で刃体を露出及び収納可能なディスポーザブルタイプの医療用ナイフを提供することを目的とする。
【課題を解決するための手段】
【００１６】
本発明は、上記課題を解決するために、刃体を先端に保持するナイフ部と、該ナイフ部の刃体を収納可能な円筒状のカバーとを備えて、前記刃体を前記カバー内に収納した収納位置と、前記刃体を前記カバーから露出した露出位置に、前記ナイフ部を固定可能な医療用ナイフであって、前記ナイフ部と前記カバーとの間に係止され、前記ナイフ部を前記露出位置から前記収納位置方向へ付勢するばね部材をさらに備え、前記ナイフ部が、前記カバーに設けられた貫通孔に係止されることにより前記ナイフ部を前記カバーに固定するロック爪と、該ロック爪を前記貫通孔に対して着脱可能に弾性支持するロック爪支持部と、を備え、前記カバーが、前記ナイフ部を前記収納位置に固定する第一の前記貫通孔と、該第一の前記貫通孔の軸方向で前記刃体を露出させる側に形成され前記ナイフ部を前記露出位置で固定する第二の前記貫通孔と、先端が第二の前記貫通孔と対向する位置に配置され第二の前記貫通孔と前記ロック爪の係止状態を解除可能なロック解除部と、前記カバーの前記刃体を露出させる側の先端に設けられ前記ナイフ部の露出部を挟持して前記刃体の安定を図るホールド部と、を備え、前記ナイフ部を収納位置から露出位置にセットする際は、前記ばね部材の弾性に抗して前記ナイフ部を前記カバーから前記刃体を露出させる方向に押込操作して前記ロック爪を第一の前記貫通孔から離脱させると共に、前記ロック爪支持部の弾性により前記ロック爪を第二の前記貫通孔に係止させ、前記ナイフ部を前記露出位置から前記収納位置に戻す際は、前記ロック解除部により第二の前記貫通孔に係止した前記ロック爪を離脱させ、前記ばね部材の付勢により前記ナイフ部を前記収納位置まで戻して、前記ロック爪支持部の弾性により前記ロック爪を第一の前記貫通孔に係止させ、前記カバーが、第一の前記貫通孔による前記収納位置とは異なる位置に前記ロック爪を係止させて前記ナイフ部を前記収納位置で固定する第三の前記貫通孔をさらに備え、前記刃体を前記カバーから露出する際は、第三の前記貫通孔に係止された前記ロック爪を離脱させて第一の前記貫通孔へ係止させた後、第二の前記貫通孔へ係止させることを特徴とする医療用ナイフを提供する。
【００１９】
さらに、前記カバーの内周面に、前記ロック爪を特定の方向にのみ前記貫通孔から係止解除可能にすると共に、前記カバー内での前記ロック爪の移動を案内するロック爪ガイド溝が形成されており、前記第三の貫通孔が、前記第一の貫通孔の円周方向に形成され、前記第一の貫通孔による収納位置から円周方向に回動した位置で前記ナイフ部を固定し、前記ロック爪ガイド溝が前記第一の貫通孔から第三の貫通孔にかけて形成されており、前記第一の貫通孔と第三の貫通孔間以外への前記ロック爪の移動を規制することを特徴とする。
【００２０】
若しくは、前記カバーの内周面に、前記ロック爪を特定の方向にのみ前記貫通孔から係止解除可能にすると共に、前記カバー内での前記ロック爪の移動を案内するロック爪ガイド溝が形成されており、前記ロック爪ガイド溝が、前記第一の貫通孔から第二の貫通孔にかけて形成され、前記第三の貫通孔が、前記第一の貫通孔による収納位置から円周方向に回動した位置から軸方向に延びる孔と、前記ロック爪ガイド溝に至る円周方向の孔からなるＬ字状に形成されることを特徴とする。
【００２１】
さらに、前記カバーは、前記カバーの軸方向に沿って形成される可動部ガイド孔と、前記カバーの前記刃体を露出する側の端部の内周面に軸方向に沿って形成される可動部ガイド溝と、をさらに備え、前記ナイフ部は、先端に前記刃体を保持する可動部と、その可動部を弾性支持する弾性支持部と、をさらに備え、前記可動部は、前記可動部ガイド孔に係合する突出部と、前記可動部ガイド溝に係合可能でかつ前記カバーの内周面又は前記可動部ガイド溝の底面と接する摺接面を有する角度変位部と、前記突出部に設けられ前記可動部ガイド孔の前記刃体露出側の下端である隅角部と突き当たる突当面と、を備え、前記角度変位部の摺接面が、前記ロック爪が前記第一の貫通孔から前記第二の貫通孔に至る間に、前記カバーの内周面又は前記可動部ガイド溝の底面と接する基準面と、前記ロック爪が前記第二の貫通孔に係止されたときに、前記可動部ガイド溝の底面と接して前記基準面とは異なる角度で前記可動部が前記刃体を保持するよう、前記基準面と異なる角度に形成された傾斜面と、から構成され、前記可動部は、前記突当面で前記可動部ガイド孔の隅角部と突き当たった際に、その隅角部と前記突当面との接点を支点に、前記傾斜面が前記可動部ガイド溝の底面と接するまで回動することを特徴とする。
【発明の効果】
【００２２】
本発明の医療用ナイフによれば、片手のみのワンアクションの簡単な操作だけで刃体の露出及び収納を可能にすることができる。そのため、執刀者と補助者は刃体を収納した状態で医療用ナイフの受け渡しを行うことができ、医療用ナイフを用いた外科的処置を安全に行うことが可能となる。
【図面の簡単な説明】
【００２３】
【図１】本発明の第一実施形態に係る医療用ナイフの全体概略図である。
【図２】図１に示す医療用ナイフのナイフ部の概略を示す模式図である。
【図３】図１に示す医療用ナイフのナイフ部の斜視図である。
【図４】図１に示す医療用ナイフのカバー本体の外観を示す模式図である。
【図５】図１に示す医療用ナイフのカバー本体の断面模式図である。
【図６】図１に示す医療用ナイフのカバー本体の斜視図である。
【図７】図１に示す医療用ナイフのガイド部材の概略を示す模式図である。
【図８】図１に示す医療用ナイフのガイド部材の斜視図である。
【図９】図１に示す医療用ナイフのガイド部材とロック爪の係合状態を示す模式図である。
【図１０】図１に示す医療用ナイフの各状態の詳細を示す断面模式図である。
【図１１】本発明の第二実施形態に係る医療用ナイフの全体概略図である。
【図１２】図１１に示す医療用ナイフのナイフ部の概略を示す模式図である。
【図１３】図１１に示す医療用ナイフの可動部の概略を示す模式図である。
【図１４】図１１に示す医療用ナイフにおける刃体の露出操作時及び収納操作時の動作について、刃体の角度が変化する機構を説明する図である。
【図１５】図１１に示す医療用ナイフのカバー本体の外観を示す模式図である。
【図１６】図１１に示す医療用ナイフのカバー本体の断面模式図である。
【図１７】本発明の第三実施形態に係る医療用ナイフの全体概略図である。
【図１８】図１７に示す医療用ナイフのナイフ部の概略を示す模式図である。
【図１９】図１７に示す医療用ナイフのナイフ部の斜視図である。
【図２０】図１７に示す医療用ナイフのカバーの概略を示す模式図である。
【図２１】図１７に示す医療用ナイフのカバーの斜視図である。
【図２２】図１７に示す医療用ナイフの各状態を示す模式図（その１）である。
【図２３】図１７に示す医療用ナイフの各状態を示す模式図（その２）である。
【図２４】図１７に示す医療用ナイフの収納ロック状態から露出ロック状態へ至る各状態を示す模式図である。
【図２５】本発明の医療用ナイフに適用される刃体形状の例を示す模式図である。
【図２６】従来の医療用ナイフの外観の一例を示す模式図（その１）である。
【図２７】従来の医療用ナイフの外観の一例を示す模式図（その２）である。
【発明を実施するための形態】
【００２４】
以下、本発明の実施の形態について、図面を参照しながら詳細に説明する。なお、以下では便宜上、医療用ナイフの刃体が位置する側を露出側、軸体が位置する側を収納側と呼称する。
【００２５】
〔第一実施形態〕
図１は、本発明の第一実施形態に係る医療用ナイフの全体概略図である。図１（ａ）は刃体がカバー内に収納された状態（操作ロック状態）の斜視図、図１（ｂ）は刃体がカバー内に収納された状態（収納ロック状態）の斜視図、図１（ｃ）は刃体をカバーから露出させた状態（露出ロック状態）の斜視図を示している。
【００２６】
また、図１０はこの医療用ナイフの各状態の詳細を示す断面模式図である。図１０（ａ）は操作ロック状態の断面模式図、図１０（ｂ）は収納ロック状態の断面模式図、図１０（ｃ）は露出ロック状態の断面模式図を示している。
【００２７】
これらの図に示すように、本実施形態の医療用ナイフ１は、先端に刃体２３を備えるナイフ部２と、このナイフ部２の一部を被覆可能な円筒状のカバー３と、ナイフ部２とカバー３間に係合するばね部材６と、から構成されている。
【００２８】
医療用ナイフ１は、図１に示す三つの状態でカバー３に対してナイフ部２を固定することができる。即ち、ナイフ部２が収納された状態で、ナイフ部２を押込操作することができない操作ロック状態〔図１（ａ）〕、ナイフ部２が収納された状態で、ナイフ部２を押込操作すれば刃体を露出することができる収納ロック状態〔図１（ｂ）〕、ナイフ部２をカバー３から露出した露出ロック状態〔図１（ｃ）〕の三つの状態である。これら各状態の詳細は後述する。
【００２９】
次に、医療用ナイフ１の各部の構成について詳述する。
【００３０】
（ナイフ部２）
図２及び図３にナイフ部２の概略を示す。図２（ａ）はその平面図、図２（ｂ）はその正面図である。また、図２（ｃ）は、図２（ａ）におけるＡ−Ａ線断面図である。また、図３はナイフ部２の斜視図である。
【００３１】
これらの図に示すように、ナイフ部２は、棒状に形成された軸体２１と、刃体２３を保持する刃体保持部２２と、刃体２３と、軸体２１と刃体保持部２２とを連結する接続部２４と、接続部２４に設けられるロック部（ロック爪支持部２５、ロック爪２６）と、から構成されている。このナイフ部２は、刃体２３を除いて樹脂により一体成形され、所定位置に刃体２３が埋め込まれるのが好適である。
【００３２】
軸体２１は、刃体２３をカバー３から露出させる際に押込操作（ノック）する部分であり、適度に細長い形状を有する。この軸体２１に接続部２４を介して連結される刃体保持部２２は、端部に刃体２３を保持している。また、刃体保持部２２の収納側の外周にはばね部材６が配置される。
【００３３】
刃体２３は、ステンレス鋼等、一般的な医療用ナイフに用いられる材料からなる。ここでは先の尖った形状の尖刃刀を例に図示しているが、図２５に示すような様々な形状の刃体２３を適用可能である。ここで、図２５（ａ）は扇型の刃体２３ａ、図２５（ｂ）は丸型の刃体２３ｂ、図２５（ｃ）は三角型の刃体２３ｃを示している。
【００３４】
なお、第一実施形態では、刃体２３を露出した際に刃が後述するカバー３のロック解除部４１と逆側を向く例を図示しているが、使用方法や使用部位等に応じて適宜向きを変更して良い。
【００３５】
接続部２４は、軸体２１と刃体保持部２２とを連結する部分であり、接続部２４と刃体保持部２２の境界には、ばね部材６を係止するばね係止部２７が形成されている。さらに接続部２４には、ロック部が配置されている。
【００３６】
ロック部は、ナイフ部２の軸に対して斜め外側に向かって突出する形状のロック爪支持部２５と、このロック爪支持部２５の先端に設けられた突起であるロック爪２６から構成される。ロック爪支持部２５は、図３の矢印ａに示す方向に変位可能であり、内側（軸側）に押圧すると、外側に向かって戻ろうとする弾性力でロック爪２６を後述するカバー本体４の各ロック孔に係止させる。
【００３７】
（カバー３）
図１に示すように、カバー３はナイフ部２が挿通される略円筒状の外装体であり、カバー本体４と、カバー本体４内に嵌入するガイド部材５から構成されている。カバー本体４とガイド部材５は、共に樹脂成形よりなるのが好適である。
【００３８】
図４乃至図６にカバー本体４の概略を示す。図４（ａ）はその平面図、図４（ｂ）はその正面図、図４（ｃ）はその背面図である。また、図５（ａ）は図４（ａ）のＢ−Ｂ線断面図、図５（ｂ）は図４（ｂ）のＣ−Ｃ線断面図である。さらに、図６はカバー本体４の斜視図である。
【００３９】
これらの図に示すように、カバー本体４は略円筒状に形成され、収納側にはロック解除部４１が形成されている。
【００４０】
ロック解除部４１は、カバー本体４の円筒部の外側に片持ち梁状に形成された操作部４２と、操作部４２の先端内側に設けられる突起４３から構成される。操作部４２は、手動で図４（ｂ）の矢印ｂ方向に操作することで、後述する露出ロック孔４４Ｃに係止されたロック爪２６を離脱させてロック解除を行うものである。
【００４１】
カバー本体４には、ナイフ部２のロック爪２６を係止するためのロック孔４４が設けられている。ロック孔４４はそれぞれ、ナイフ部２を操作ロック状態で固定するための操作ロック孔（第三の貫通孔）４４Ａ、ナイフ部２を収納ロック状態で固定するための収納ロック孔（第一の貫通孔）４４Ｂ、ナイフ部２を露出ロック状態で固定するための露出ロック孔（第二の貫通孔）４４Ｃからなる。
【００４２】
収納ロック孔４４Ｂは、ロック解除部４１の内側で、かつ操作部４２を操作しても影響のない位置に配置される。操作ロック孔４４Ａは、収納ロック孔４４Ｂに対して円周方向に所定の角度（好適には６０°乃至９０°）ずれて配置される。露出ロック孔４４Ｃは、収納ロック孔４４Ｂに対して軸方向に同一直線上に位置し、ロック解除部４１の突起４３と対向して配置される。
【００４３】
また、カバー本体４の収納側端部近傍には、ガイド部材５を固定するための固定孔４５が設けられている。さらに、カバー本体４の内周面には、ばね部材６を係止するためのばね係止部４６が設けられている。
【００４４】
カバー本体４の露出側端部には、刃体２３の露出時にナイフ部２を挟んで押さえ、刃体２３を安定させるホールド部４７が設けられている。ホールド部４７は、カバー本体４の露出側端部から延設された複数（ここでは例として二つ）の挟持片４８から構成される。挟持片４８には、内側に向かって突出する凸部４９が形成されている。このように、挟持片４８でナイフ部２の先端近傍を押さえることにより、使用時の刃体２３のブレやガタつき等を防止する。
【００４５】
尚、刃体２３の使用時におけるホールド部４７に対するブレやガタつきをより確実に防止するには、上記のように、カバー本体４の露出側端部から延設された複数の挟持片４８において内側に向かって突出する凸部４９を設ける他に、カバー本体の内側においても刃体２３をホールドする凸部（図示せず）を設け、上記のホールド部４７の凸部４９とカバー本体の内側に設けた凸部とによって、刃体２３をホールド部４７に対して確実に支持することにより、使用時のホールド部４７に対する刃体２３のブレやガタつき等を完全に防止することを可能する。
【００４６】
また、上記実施例においては、ホールド部４７が刃体２３の背側と刃側からナイフ部２を押さえる例を示したが、刃体２３の側部等を押さえるものであっても良い。また、ここでは二つの挟持片４８を例に図示しているが、二つ以上の挟持片４８でナイフ部２の先端を挟み持つ構成としても良い。
【００４７】
図７乃至図９にガイド部材５の概略を示す。図７（ａ）はその平面図、図７（ｂ）はその正面図、図７（ｃ）はその右側面図である。また、図８はガイド部材５の斜視図である。さらに、図９はガイド部材５とナイフ部２のロック部の係合状態を示す模式図であり、図９（ａ）は操作ロック状態、図９（ｂ）は収納ロック状態におけるガイド部材５とナイフ部２を示している。
【００４８】
ガイド部材５は、カバー３の内部に、ナイフ部２のロック爪２６を案内する溝を形成するための部材で、略円筒状に構成されると共に、カバー本体４の収納側端部に嵌入して固定されている。
【００４９】
ガイド部材５の側部には、図７（ａ）の矢印ｃ方向に変位可能な固定部５１が二箇所配置されている。固定部５１には凸部５２が設けられており、カバー本体４の固定孔４５に固定部５１の凸部５２が嵌ることにより、ガイド部材５はカバー本体４に固定される。
【００５０】
さらにガイド部材５には、略Ｌ字状のロック爪ガイド孔５３が形成されている。ロック爪ガイド孔５３は、ガイド部材５がカバー本体４に取り付けられることによって、ロック爪２６をロック孔４４から特定の方向にのみ係止解除可能にすると共に、カバー３内でロック爪２６を案内する溝の役割を果たす。
【００５１】
ガイド孔５３は図に示すようにカバー３の円周方向に形成されるガイド孔５３Ａと、軸方向に形成されるガイド孔５３Ｂから構成される。円周方向に形成されるガイド孔５３Ａは、カバー３内で円周方向のロック爪ガイド溝になり、操作ロック孔４４Ａと収納ロック孔４４Ｂ間のロック爪２６の移動を案内する。また、軸方向に形成されるガイド孔５３Ｂは、カバー３内で軸方向のロック爪ガイド溝になり、収納ロック孔４４Ｂと露出ロック孔４４Ｃ間でのロック爪２６の移動の一部を案内する。
【００５２】
なお、上記ではカバー３内にロック爪ガイド溝を容易に形成すると共にナイフ部２のカバー３からの抜けを防ぐため、カバー３をカバー本体４とガイド部材５から構成する例を示しているが、これらが一体に形成される構成としても良い（例として後述する第三実施形態参照）。
【００５３】
（ばね部材６）
ばね部材６は、図１０に示すようにコイルばねで構成され、上述のナイフ部２のばね係止部２７と、カバー本体４のばね係止部４６との間に配置される。刃体２３の露出時〔図１０（ｃ）〕には、ばね部材６は各ばね係止部２７、４６の間で押し縮められており、ナイフ部２を刃体２３の収納側に付勢している。
【００５４】
（露出操作及び収納操作）
次に、上記構成の医療用ナイフ１における、刃体２３の露出操作及び収納操作の詳細を説明する。
【００５５】
（１）操作ロック状態
医療用ナイフ１は、図１０（ａ）に示す操作ロック状態でパッケージングされ、使用に供される。この操作ロック状態では、ロック爪２６が操作ロック孔４４Ａに係止されてナイフ部２の軸方向の移動が規制されているため、ナイフ部２の軸体２１を押込操作してもナイフ部２は動かない。そのため、刃体２３が不用意に露出してしまうことがなく安全である。
【００５６】
（２）操作ロック状態から収納ロック状態へ
医療用ナイフ１を使用する際は、まず、操作ロック孔４４Ａに係止されたロック爪２６が収納ロック孔４４Ｂへ向かうように、ナイフ部２の軸体２１をカバー３に対して回動させる。すると、ロック爪支持部２５に弾性支持されるロック爪２６が、ロック爪ガイド溝に沿って操作ロック孔４４Ａから離脱してカバー３の内側に入り込む。ロック爪ガイド溝はカバー３の内側で操作ロック孔４４Ａから収納ロック孔４４Ｂまで円周方向に形成されており、このガイド溝に案内されてロック爪２６が収納ロック孔４４Ｂまで至ると、ロック爪支持部２５の弾性によりロック爪２６は収納ロック孔４４Ｂに係止される〔図１０（ｂ）；収納ロック状態〕。
【００５７】
（３）収納ロック状態から露出ロック状態へ
図１０（ｂ）に示す収納ロック状態では、刃体２３はカバー３内に収納されているが、ナイフ部２を押込操作すれば刃体２３を露出可能な状態である。使用時には、ばね部材６の弾性に抗してナイフ部２の軸体２１を露出方向にカバー３に押し込む。すると、収納ロック孔４４Ｂに係止されていたロック爪２６がロック爪ガイド溝に沿って離脱してカバー３の内側に入り込み、露出ロック孔４４Ｃまで至るとロック爪支持部２５の弾性によりロック爪２６が露出ロック孔４４Ｃに係止される〔図１０（ｃ）；露出ロック状態〕。このとき刃体２３はカバー３から露出した状態でロックされると共に、ナイフ部２の刃体保持部２２がカバー本体４のホールド部４７によって挟持されて刃体２３を安定させる。医療用ナイフ１は、この露出ロック状態で外科手術等に用いられる。
【００５８】
なおこのとき、ばね部材６はナイフ部２のばね係止部２７とカバー本体４のばね係止部４６との間に係止されて押し縮められているため、ナイフ部２を収納する方向に付勢している。
【００５９】
（４）露出ロック状態から収納ロック状態へ
刃体２３を露出した露出ロック状態から、ロックを解除して刃体２３を収納した収納ロック状態に戻すには、ロック解除部４１を操作する。即ち、ロック解除部４１の操作部４２を、カバー本体４の円筒部側に押圧する。すると、操作部４２の裏面に設けられた突起４３が、露出ロック孔４４Ｃに係止されているロック爪２６を押圧して露出ロック孔４４Ｃから離脱させる。ロック爪２６が露出ロック孔４４Ｃから離脱すると、収納ロック孔４４Ｂにロック爪２６が係止されるまでばね部材６がナイフ部２を収納側に押し戻し、医療用ナイフ１は収納ロック状態に戻る。
【００６０】
（５）収納ロック状態から操作ロック状態へ
医療用ナイフ１の使用後は、上記（４）に示すように収納ロック状態に戻したところで廃棄等の処理ができるが、より安全を期すために再度操作ロック状態に戻しても良い。操作ロック状態に戻すには、上記（２）とは逆に、収納ロック孔４４Ｂに係止されたロック爪２６が操作ロック孔４４Ａへ向かうように、ナイフ部２の軸体２１をカバー３に対して回動させる。すると、ロック爪ガイド溝に沿ってロック爪２６が収納ロック孔４４Ｂから離脱してカバー３の内側に入り込み、円周方向のロック爪ガイド溝に沿って操作ロック孔４４Ａに至る。そしてロック爪支持部２５の弾性によりロック爪２６が操作ロック孔４４Ａに係止され、操作ロック状態となる。
【００６１】
このように、本発明の医療用ナイフ１では、操作ロック状態を解除して収納ロック状態にしておけば、ナイフ部２の軸体２１をカバー３に押し込む操作のみで刃体２３を露出させ、ロック解除部４１を押圧する操作のみで刃体２３を収納することが可能となる。これらの操作は、どちらも片手のみのワンアクションだけで可能な、簡単な操作である。従って、補助者が操作ロック状態を解除して執刀者に医療用ナイフ１を手渡すことで、執刀者と補助者は刃体２３を収納した状態で受け渡しを行うことができ、医療用ナイフ１を用いた外科的処置を安全に行うことが可能となる。
【００６２】
ここまでが本実施形態に係る医療用ナイフ１の基本的な構成だが、この基本構成にさらに露出した刃体の角度を変位させる機構を加えた医療用ナイフ１０１としても良い。以下に構成を詳述する。
【００６３】
〔第二実施形態〕
図１１は、本発明の第二実施形態に係る医療用ナイフの全体概略図である。図１１（ａ）は操作ロック状態の断面模式図、図１１（ｂ）は収納ロック状態の断面模式図、図１１（ｃ）は収納ロック状態から露出ロック状態へ移行する途中の断面模式図、図１１（ｄ）は露出ロック状態の断面模式図を示している。なお、第一実施形態と同一の部分には同一の符号を付して説明を省略する。
【００６４】
これらの図に示すように、刃体の角度変位機構を付加した医療用ナイフ１０１は、刃体の収納時〔図１１（ａ）、（ｂ）〕と露出時〔図１１（ｄ）〕とで刃体の角度が異なる。このように刃体の角度を軸に対して傾けて固定することで、視認が難しい角度や位置での切開等を容易にすることができる。
【００６５】
このような角度変位機構を備える医療用ナイフ１０１は、先端に刃体を備えるナイフ部１０２と、このナイフ１０２の一部を被覆可能な円筒状のカバー１０３と、ナイフ部１０２とカバー１０３間に係合するばね部材１０６と、から構成されている。
【００６６】
（ナイフ部１０２）
図１２はナイフ部１０２の概略を示す模式図であり、図１２（ａ）はその平面図、図１２（ｂ）はその正面図、図１２（ｃ）はその底面図である。また、図１３はナイフ部１０２の可動部の概略を示す模式図であり、図１３（ａ）はその斜視図、図１３（ｂ）はその正面図である。
【００６７】
これらの図に示すように、ナイフ部１０２は、棒状に形成された軸体２１と、刃体２３を保持する可動部１２２と、刃体２３と、軸体２１と弾性支持部１２４を連結する接続部２４と、可動部１２２を弾性支持する弾性支持部１２４と、接続部２４に設けられるロック部（ロック爪支持部２５、ロック爪２６）と、ばね部材１０６を係止するためのばね係止部２７と、から構成されている。
【００６８】
弾性支持部１２４は、捩りや押し引きに対して自在に変形しつつ軸体２１の軸方向の動きを可動部１２２に伝える部材である。具体的には、図１２に示すように僅かに折曲（若しくは湾曲）した薄板状に形成され、操作ロック等の際に軸体２１に加えられる円周方向への回動を、捩れることで吸収して可動部１２２の姿勢を維持する〔図１１（ａ）参照〕。また、刃体２３の収納及び露出の操作時に軸体２１の軸方向の動きを可動部１２２に伝えると共に、撓んだり伸びたりすることで可動部１２２の回動動作を許容する。
【００６９】
可動部１２２は、弾性支持部１２４の先端に配置され、その露出側端部には刃体２３を保持している。図１３に、可動部１２２を拡大して示す。図示のように可動部１２２には、後述するカバー１０３の可動部ガイド孔１４７に係合する突出部１２８が突設されている。突出部１２８には、可動部ガイド孔１４７の露出側下端部（隅角部）１４７Ａと突き当たる突当面１２８Ａが露出側に形成されている。
【００７０】
さらに、突出部１２８の逆側には、後述するカバー１０３の可動部ガイド溝１４８と係合して、突出部１２８と共に可動部１２２の進行を案内すると共に可動部１２２の姿勢（角度）を決定する角度変位部１２９が突設されている。この角度変位部１２９には、カバー１０３の内周面又は可動部ガイド溝１４８の底面に接する摺接面１２９Ａ、１２９Ｂが形成されている。
【００７１】
摺接面（基準面）１２９Ａは、可動部１２２が刃体２３の収納ロック状態から露出ロック状態に至る間に、カバー１０３の内周面又は可動部ガイド溝１４８の底面と接する面である。この摺接面１２９Ａの角度が可動部１２２の基準の角度（収納時の角度）となる。
【００７２】
一方、摺接面（傾斜面）１２９Ｂは、刃体２３を露出ロック状態とした際に、可動部ガイド溝１４８の底面と接する面である。摺接面１２９Ｂは、図１３（ｂ）に示すように基準の摺接面１２９Ａに対して所定の角度θ（ここでは例として１０度）を持って形成されている。そのため、摺接面１２９Ｂで可動部ガイド溝１４８の底面に接した際には、可動部１２２がθ度傾斜するため、刃体２３の角度もθ度変位することになる〔図１４参照〕。
【００７３】
なお、第二実施形態では、刃体２３を露出した際に、刃体２３がカバー１０３のロック解除部４１側に曲がると共に、刃がロック解除部４１側を向く例を図示しているが、刃体２３の角度が変位する方向や刃の向きは、使用方法や使用部位等に応じて適宜変更して良い。
【００７４】
（カバー１０３）
図１１に示すように、カバー１０３はナイフ部１０２が挿通される略円筒状の外装体であり、カバー本体１０４と、カバー本体１０４内に嵌入するガイド部材５から構成されている。ガイド部材５は上記第一実施形態と構成が同一であるため、ここでは説明を省略する。
【００７５】
図１５及び図１６にカバー本体１０４の概略を示す。図１５（ａ）はその平面図、図１５（ｂ）はその正面図、図１５（ｃ）は背面図である。また、図１６（ａ）は図１５（ａ）におけるＤ−Ｄ線断面図、図１６（ｂ）は図１５（ｂ）におけるＥ−Ｅ線断面図である。
【００７６】
これらの図に示すように、カバー本体１０４は略円筒状の部材であり、樹脂成形によりなるのが好適である。カバー本体１０４は、カバー本体１０４の円筒部の外側に片持ち梁状に形成された操作部４２とこの操作部４２の先端内側に設けられる突起４３からなるロック解除部４１と、操作ロック孔４４Ａ、収納ロック孔４４Ｂ、露出ロック孔４４Ｃからなるロック孔４４と、ガイド部材５を固定するための固定孔４５と、カバー本体１０４の露出側先端でナイフ部１０２のばね係止部２７との間でばね部材１０６を係止するためのばね係止部１４６と、ナイフ部１０２の突出部１２８と係合する可動部ガイド孔１４７と、ナイフ部１０２の角度変位部１２９と係合する可動部ガイド溝１４８と、から構成されている。
【００７７】
ばね係止部１４６は、カバー本体１０４の内周面に突設されてばね部材１０６を係止する。
【００７８】
可動部ガイド孔１４７は、カバー本体１０４の露出側に軸方向に沿って形成される長孔であり、ナイフ部１０２の可動部１２２に設けられた突出部１２８と係合して、露出及び収納操作時に可動部１２２の進退を案内する。
【００７９】
可動部ガイド溝１４８は、カバー本体１０４の露出側先端近傍の内周面に形成される長溝であり、ナイフ部１０２の可動部１２２に設けられた角度変位部１２９が係合可能で、可動部ガイド孔１４７と同様に露出及び収納操作時に可動部１２２の進退を案内する。
【００８０】
カバー本体１０４の露出側端部には、刃体２３の露出時にナイフ部１０２を挟んで押さえ、刃体２３を安定させるホールド部４７が設けられている。ホールド部４７は、カバー本体１０４の露出側端部から延設された複数（ここでは例として二つ）の挟持片４８から構成され、挟持片４８は内側に向かって突出する凸部４９が形成されている。なおここでは、挟持片４８が回動する可動部１２２の動きを妨げることがないよう、側部からナイフ部１０２を挟持する例を図示している。
【００８１】
（ばね部材１０６）
ばね部材１０６は、図１１に示すようにコイルばねで構成され、ナイフ部１０２のばね係止部２７と、カバー本体１０４のばね係止部１４６との間に配置される。刃体２３の露出時〔図１１（ｄ）〕には、ばね部材１０６は各ばね係止部２７、１４６間で押し縮められており、ナイフ部１０２を刃体２３の収納側に付勢している。
【００８２】
（角度変位の態様）
上記構成の医療用ナイフ１０１における、刃体２３の露出操作及び収納操作時の動作について、図１１及び図１４を用いて説明する。なお、ナイフ部１０２とカバー１０３のロックの態様は上記第一実施形態と同様であり既に説明しているため、ここでは角度変位機構の構成と動作を中心に説明する。
【００８３】
（１）操作ロック状態
図１１（ａ）に示すように、医療用ナイフ１０１の操作ロック状態では、ロック爪２６が操作ロック孔４４Ａに係止されてナイフ部１０２の軸方向の移動が規制されているため、ナイフ部１０２の軸体２１を押込操作してもナイフ部１０２は動かない。
【００８４】
このとき、ナイフ部１０２の可動部１２２は、突出部１２８がカバー１０３の可動部ガイド孔１４７に嵌って回動できないため、弾性支持部１２４が捩れた状態でカバー１０３内に収まっている。
【００８５】
またこのとき可動部１２２は、角度変位部１２９の摺接面１２９Ａでカバー１０３の内周面と接している。そのため、可動部１２２は基準の角度でカバー１０３内に収納されている。
【００８６】
（２）操作ロック状態から収納ロック状態へ
医療用ナイフ１０１を使用する際は、操作ロック孔４４Ａに係止されたロック爪２６が収納ロック孔４４Ｂへ向かうように、ナイフ部１０２の軸体２１をカバー１０３に対して回動させる。すると図１１（ｂ）に示すように、ロック爪２６がロック爪ガイド溝に沿って操作ロック孔４４Ａから離脱し、ロック爪ガイド溝に案内されて収納ロック孔４４Ｂに係止される。また、軸体２１の回動に伴って弾性支持部１２４の捩れが解消する。可動部１２２の姿勢は操作ロック状態と変わらない。
【００８７】
（３）収納ロック状態から露出ロック状態へ
医療用ナイフ１０１の刃体２３を露出する際には、ばね部材１０６の弾性に抗してナイフ部１０２の軸体２１を露出方向にカバー１０３に押し込む。すると、収納ロック孔４４Ｂに係止されていたロック爪２６がロック爪ガイド溝に沿って離脱して、露出ロック孔４４Ｃに至ると露出ロック孔４４Ｃに係止される。このとき刃体２３はカバー１０３から露出した状態でロックされると共に、可動部１２２がカバー本体１０４のホールド部４７によって挟持されて刃体２３を安定させる。
【００８８】
一方、ナイフ部１０２の軸体２１を露出方向にカバー１０３に押し込んだ際に、ナイフ部１０２の可動部１２２は、突出部１２８が可動部ガイド孔１４７に係合したまま、摺接面１２９Ａでカバー１０３の内周面と当接しながら露出側にスライドする。
【００８９】
そして、可動部ガイド溝１４８まで可動部１２２がスライドすると、角度変位部１２９が可動部ガイド溝１４８に入り込み、摺接面１２９Ａが可動部ガイド溝１４８の底面と接する。さらに可動部１２２がスライドすると、突出部１２８の突当面１２８Ａが可動部ガイド孔１４７の隅角部１４７Ａに突き当たる。
【００９０】
図１１（ｃ）及び図１４（ａ）は、突出部１２８の突当面１２８Ａが可動部ガイド孔１４７の隅角部１４７Ａに突き当たった状態を図示している。ここまでは、角度変位部１２９の摺接面１２９Ａで可動部ガイド溝１４８の底面と接しているため、可動部１２２は基準の角度を保っている。
【００９１】
図１１（ｃ）及び図１４（ａ）に示した状態からさらに可動部１２２が露出側にスライドすると、可動部１２２は隅角部１４７Ａと突き当たった突当面１２８Ａで隅角部１４７Ａを摺接しつつ、隅角部１４７Ａとの接点を支点に図１４上方向へと徐々に回動する。この回動に従って角度変位部１２９も可動部ガイド溝１４８の底面を摺接しながら回動し、摺接面１２９Ｂと可動部ガイド溝１４８の底面が接したところで、可動部１２２の角度が基準よりθ度（ここでは例として１０度）傾斜する。この摺接面１２９Ｂと可動部ガイド溝１４８の底面が接している位置でナイフ部１０２をカバー１０３にロックできるよう、ナイフ部１０２のロック部とカバー１０３のロック孔４４の配置が調節されている。以上により、露出ロック状態では刃体２３が基準よりもθ度傾いた状態で固定された医療用ナイフ１０１とすることができる〔図１１（ｄ）、図１４（ｂ）〕。
【００９２】
なおこのとき、ばね部材１０６はナイフ部１０２のばね係止部２７とカバー本体１０４のばね係止部１４６との間に係止されて押し縮められているため、ナイフ部１０２を収納する方向に付勢している。
【００９３】
（４）露出ロック状態から収納ロック状態へ
刃体２３を露出した露出ロック状態からロックを解除して収納ロック状態に戻すには、ロック解除部４１を操作して、突起４３で露出ロック孔４４Ｃからロック爪２６を離脱させる。すると、収納ロック孔４４Ｃにロック爪２６が係止されるまでばね部材１０６がナイフ部１０２を収納側に押し戻し、医療用ナイフ１０１は収納ロック状態に戻る。
【００９４】
このとき可動部１２２は、ナイフ部１０２が収納側へ後退するのに従って露出の際と逆方向に回動し、摺接面１２９Ａと可動部ガイド溝１４８の底面が接したところで刃体２３の角度が基準の角度に戻る。さらにナイフ部１０２が後退すると角度変位部１２９は可動部ガイド溝１４８から離脱し、摺接面１２９Ａでカバー１０３の内周面を摺接しながら図１１（ｂ）の収納ロック状態に戻る。
【００９５】
（５）収納ロック状態から操作ロック状態へ
医療用ナイフ１０１を操作ロック状態に戻すには、収納ロック孔４４Ｂに係止されたロック爪２６が操作ロック孔４４Ａへ向かうように、ナイフ部１０２の軸体２１をカバー１０３に対して回動させる。するとロック爪２６がロック爪ガイド溝に沿って収納ロック孔４４Ｂから離脱して操作ロック孔４４Ａに係止される。この軸体２１の回動に伴って、弾性支持部１２４が捩れた状態になる。可動部１２２の姿勢は収納ロック状態と変わらない。
【００９６】
このように、本実施形態の医療用ナイフ１０１では、簡易な構成で露出時の刃体の角度を変位させることができ、通常の医療用ナイフでは見難い処置部でも視認性の良い医療用ナイフ１０１とすることができる。また、操作ロック状態を解除して収納ロック状態にしておけば、ナイフ部１０２の軸体２１をカバー１０３に押し込む操作のみで刃体２３を露出させ、ロック解除部４１を押圧する操作のみで刃体２３を収納することが可能となる。これらの操作は、どちらも片手のみのワンアクションだけで可能な、簡単な操作である。従って、補助者が操作ロック状態を解除して執刀者に医療用ナイフ１０１を手渡すことで、執刀者と補助者は刃体２３を収納した状態で受け渡しを行うことができ、医療用ナイフ１０１を用いた外科的処置を安全に行うことが可能となる。
【００９７】
なお上記では、安全を期するために刃体露出操作をロックした操作ロック状態にできる医療用ナイフ１、１０１について説明したが、収納ロック状態と露出ロック状態にできれば医療用ナイフとしては事足りるため、操作ロック孔４４Ａと円周方向のロック爪ガイド孔５３Ａ（ロック爪ガイド溝）を省略して、ナイフ部が軸方向にのみ移動可能で収納ロック状態と露出ロック状態にすることが可能な医療用ナイフとしても良い。この場合、医療用ナイフは収納ロック状態でパッケージングされて使用に供される。
【００９８】
一方、上記第一及び第二実施形態の場合、ナイフ部２、１０２の軸体２１を回動させるだけという非常に簡単な操作で操作ロック状態を解除することが可能なため、搬送時やパッケージの開封時等、予期しない段階で操作ロック状態を解除してしまう恐れがある。そこで、より安全を期するために刃体２３の露出操作はワンアクションのまま、操作ロック状態の解除時のみ操作数を増やした医療用ナイフ２０１について、以下で説明する。
【００９９】
〔第三実施形態〕
図１７は、本発明の実施形態に係る医療用ナイフの全体概略図である。図１７（ａ）は第一の操作ロック状態の斜視図、図１７（ｂ）は第二の操作ロック状態の斜視図、図１７（ｃ）は収納ロック状態の斜視図、図１７（ｄ）は露出ロック状態の斜視図を示している。なお、以下では第一実施形態と同一の部分には同一の符号を付して説明を省略する。
【０１００】
これらの図に示すように、本実施形態に係る医療用ナイフ２０１では、操作ロック状態に二つの形態がある（第一の操作ロック状態、及び第二の操作ロック状態）。即ち、第一の操作ロック状態から第二の操作ロック状態を経て収納ロック状態にしなければ、刃体２３を露出することができない。このため、予期しない刃体の露出を防止することができる。
【０１０１】
医療用ナイフ２０１は、先端に刃体２３を備えるナイフ部２０２と、このナイフ部２０２の一部を被覆可能な円筒状のカバー２０３と、ナイフ部２０２とカバー２０３間に係合するばね部材２０６（図２４参照）と、から構成されている。
【０１０２】
（ナイフ部２０２）
図１８及び図１９にナイフ部２０２の概略を示す。図１８（ａ）はその平面図、図１８（ｂ）はその正面図である。また、図１８（ｃ）は、図１８（ａ）におけるＦ−Ｆ線断面図である。また、図１９はナイフ部２０２の斜視図である。
【０１０３】
これらの図に示すように、ナイフ部２０２は、棒状に形成された軸体２１と、刃体２３を保持する刃体保持部２２と、刃体２３と、軸体２１と刃体保持部２２とを連結する接続部２４と、接続部２４に設けられるロック部（ロック爪支持部２５、ロック爪２６）と、ばね部材２０６を係止するためのばね係止部２７と、から構成されている。
【０１０４】
なお第三実施形態では、ロック爪支持部２５のロック爪２６が形成される側とは逆側に、突起部２５Ａが形成される例を示している。この突起部２５Ａは、カバー２０３の内側に当接することでロック部の可動範囲を一定範囲に規制している。
【０１０５】
（カバー２０３）
図２０及び図２１にカバー２０３の概略を示す。図２０（ａ）はその平面図、図２０（ｂ）はその正面図である。また、図２０（ｃ）は、図２０（ａ）におけるＧ−Ｇ線断面図、図２０（ｄ）は、図２０（ｂ）におけるＨ−Ｈ線断面図である。また、図２１はカバー２０３の斜視図である。
【０１０６】
これらの図に示すように、カバー２０３はナイフ部２０２が挿通される略円筒状の外装体であり、カバー２０３の円筒部の外側に片持ち梁状に形成された操作部４２とこの操作部４２の先端内側に設けられた突起４３とからなるロック解除部４１と、操作ロック孔２４４Ａ、収納ロック孔２４４Ｂ、露出ロック孔２４４Ｃからなるロック孔２４４と、ナイフ部２０２のロック爪２６と係合するロック爪ガイド溝２４５と、カバー２０３の露出側先端でナイフ部２０２のばね係止部２７との間でばね部材２０６を係止するためのばね係止部４６と、刃体２３の露出時にナイフ部２０２を挟んで押さえるホールド部４７と、から構成されている。
【０１０７】
ロック孔２４４は、ナイフ部２０２のロック爪２６を係止する貫通孔であり、それぞれ、ナイフ部２０２を第一の操作ロック状態及び第二の操作ロック状態で固定するための操作ロック孔（第三の貫通孔）２４４Ａ、ナイフ部２０２を収納ロック状態で固定するための収納ロック孔（第一の貫通孔）２４４Ｂ、ナイフ部２０２を露出ロック状態で固定するための露出ロック孔（第二の貫通孔）２４４Ｃからなる。
【０１０８】
操作ロック孔２４４Ａは、図２０（ａ）に示すようにＬ字状に形成された貫通孔であり、カバー２０３の軸方向に穿たれたＸ部とカバー２０３の円周方向に穿たれたＹ部から構成されている。Ｘ部の収納側端部は収納ロック孔２４４Ｂに対して円周方向に所定の角度ずれた位置に配置されるのが好ましい。またＹ部は、収納ロック孔２４４Ｂから露出ロック孔２４４Ｃ間のロック爪ガイド溝２４５へ向かって形成される。
【０１０９】
なお、収納ロック孔２４４Ｂ及び露出ロック孔２４４Ｃは、第一実施形態の収納ロック孔２４Ｂ及び露出ロック孔２４Ｃと同様であり、ここでは説明を省略する。
【０１１０】
ロック爪ガイド溝２４５は、カバー２０３の内側に、少なくとも収納ロック孔２４４Ｂから露出ロック孔２４４Ｃにかけて設けられた溝であり、ナイフ部２０２のロック爪２６がカバー３の内側に入り込んだ際に、ロック爪２６と係合してその移動を案内する。上述のように操作ロック孔２４４ＡのＹ部は、収納ロック孔２４４Ｂから露出ロック孔２４４Ｃ間のロック爪ガイド溝２４５へ向かって形成されているため、ロック爪ガイド溝２４５は、操作ロック孔２４４ＡのＹ部から収納ロック孔２４４Ｂへ、さらに収納ロック孔２４４Ｂと露出ロック孔２４４Ｃの間でロック爪２６の案内を行う。
【０１１１】
（ばね部材２０６）
ばね部材２０６は、図２４に示すようにコイルばねで構成され、ナイフ部２０２のばね係止部２７と、カバー２０３のばね係止部４６との間に配置される。刃体２３の露出時〔図１７（ｄ）〕には、ばね部材２０６は各ばね係止部２７、４６の間で押し縮められており、ナイフ部２０２を刃体２３の収納側に付勢している。
【０１１２】
（露出操作及び収納操作）
次に、上記構成の医療用ナイフ２０１における、刃体２３の露出操作及び収納操作の詳細を説明する。
【０１１３】
（１）第一の操作ロック状態
図２２（ａ）に示すように、医療用ナイフ２０１の第一の操作ロック状態では、ロック爪２６が操作ロック孔２４４Ａに係止されてＸ部の収納側端部にある状態で、ナイフ部２０２は軸体２１を押込操作してもばね部材２０６の弾性によって押し戻される。
【０１１４】
（２）第一の操作ロック状態から第二の操作ロック状態へ
医療用ナイフ２０１を使用する際は、まず、操作ロック孔２４４ＡのＸ部収納側端部にあるロック爪２６が操作ロック孔２４４ＡのＹ部に向かうように、ナイフ部２０２の軸体２１を押し込んだ後、回動させる。ロック爪２６は、操作ロック孔２４４Ａの形状に沿って移動して、図２２（ｂ）に示すようにＹ部に係止される。この状態が第二の操作ロック状態であり、ロック爪２６が操作ロック孔２４４ＡのＹ部に係止されてナイフ部２０２の軸方向の移動が規制されている。そのため、ナイフ部２０２の軸体２１を押込操作してもナイフ部２０２は動かない。このとき、ばね部材２０６はナイフ部２０２のばね係止部２７とカバー２０３のばね係止部４６との間に係止されて押し縮められているため、ナイフ部２０２を収納する方向に付勢している。
【０１１５】
（３）第二の操作ロック状態から収納ロック状態へ
次いで、操作ロック孔２４４ＡのＹ部に係止されたロック爪２６がロック爪ガイド溝２４５へ向かうように、ナイフ部２０２の軸体２１をカバー２０３に対して回動させる。するとロック爪２６は操作ロック孔２４４Ａから離脱してカバー２０３の内部に入り込み、ロック爪ガイド溝２４５と係合する。そして、ばね部材２０６の付勢によってナイフ部２０２は収納方向に押し戻され、ロック爪２６はロック爪ガイド溝２４５に案内されて収納ロック孔２４４Ｂまで至ると、図２２（ｃ）に示すように収納ロック孔２４４Ｂに係止される（収納ロック状態）。
【０１１６】
（４）収納ロック状態から露出ロック状態へ
医療用ナイフ２０１の刃体２３を露出する際には、ばね部材２０６の弾性に抗してナイフ部２０２の軸体２１を露出方向にカバー２０３に押し込む。すると、収納ロック孔２４４Ｂに係止されていたロック爪２６が離脱して、ロック爪ガイド溝２４５に案内され〔図２４（ｂ）参照〕、露出ロック孔２４４Ｃに至ると図２３（ａ）に示すように露出ロック孔２４４Ｃに係止される。このとき刃体２３はカバー２０３から露出した状態でロックされる（露出ロック状態）と共に、ナイフ部２０２の刃体保持部２２がカバー２０３のホールド部４７によって挟持されて刃体２３を安定させる。医療用ナイフ２０１は、この露出ロック状態で外科手術等に用いられる。
【０１１７】
なおこのとき、ばね部材２０６はナイフ部２０２のばね係止部２７とカバー２０３のばね係止部４６との間に係止されて押し縮められているため、ナイフ部２０２を収納する方向に付勢している。
【０１１８】
（５）露出ロック状態から収納ロック状態へ
刃体２３を露出した露出ロック状態からロックを解除して収納ロック状態に戻すには、ロック解除部４１を操作して、突起４３で露出ロック孔２４４Ｃからロック爪２６を離脱させる。すると、収納ロック孔２４４Ｂにロック爪２６が係止されるまでばね部材２０６がナイフ部２０２を収納側に押し戻し、医療用ナイフ２０１は収納ロック状態に戻る。
【０１１９】
このように、本実施形態の医療用ナイフ２０１では、操作ロック状態を解除する際に、押し込んでから回転させるという偶発的には起こりにくい操作が必要となる。そのため、不用意に操作ロックが解除されることなく、より安全な医療用ナイフとすることができる。一方で、操作ロック状態を解除して収納ロック状態にしておけば、ナイフ部２０２の軸体２１をカバー２０３に押し込む操作のみで刃体２３を露出させ、ロック解除部４１を押圧する操作のみで刃体２３を収納することが可能となる。これらの操作は、どちらも片手のみのワンアクションだけで可能な、簡単な操作である。従って、補助者が操作ロック状態を解除して執刀者に医療用ナイフ２０１を手渡すことで、執刀者と補助者は刃体２３を収納した状態で受け渡しを行うことができ、医療用ナイフ２０１を用いた外科的処置を安全に行うことが可能となる。
【０１２０】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【０１２１】
本発明は、外科手術用のメス等、医療現場で用いられるナイフに係り、特に、刃体をワンタッチで露出及び収納することが可能な医療用ナイフに関し、産業上の利用可能性を有する。
【符号の説明】
【０１２２】
１、１０１、２０１    医療用ナイフ
２、１０２、２０２    ナイフ部
３、１０３、２０３    カバー
４、１０４    カバー本体
５    ガイド部材
６、１０６、２０６    ばね部材
２１    軸体
２２    刃体保持部
２３    刃体
２３ａ    扇型の刃体
２３ｂ    丸型の刃体
２３ｃ    三角型の刃体
２４    接続部
２５    ロック爪支持部
２５Ａ    突起部
２６    ロック爪
２７    ばね係止部
４１    ロック解除部
４２    操作部
４３    突起
４４、２４４    ロック孔
４４Ａ、２４４Ａ    操作ロック孔（第三の貫通孔）
４４Ｂ、２４４Ｂ    収納ロック孔（第一の貫通孔）
４４Ｃ、２４４Ｃ    露出ロック孔（第二の貫通孔）
４５    固定孔
４６、１４６    ばね係止部
４７    ホールド部
４８    挟持片
４９    凸部
５１    固定部
５２    凸部
５３    ロック爪ガイド孔
５３Ａ    ロック爪ガイド孔（円周方向）
５３Ｂ    ロック爪ガイド孔（軸方向）
１２２    可動部
１２４    弾性支持部
１２８    突出部
１２８Ａ    突当面
１２９    角度変位部
１２９Ａ    摺接面（基準面）
１２９Ｂ    摺接面（傾斜面）
１４７    可動部ガイド孔
１４７Ａ    隅角部
１４８    可動部ガイド溝
２４５    ロック爪ガイド溝
【要約】
【課題】使用に際して片手のみの簡単な操作で刃体を露出及び収納可能なディスポーザブルタイプの医療用ナイフを提供する。
【解決手段】
ナイフ部２とカバー３との間に係止され、ナイフ部２を露出位置から収納位置方向へ付勢するばね部材６を備え、ナイフ部２を収納位置から露出位置にセットする際は、ばね部材６の弾性に抗してナイフ部２をカバー３に押込操作してロック爪２６を第一の貫通孔４４Ｂから離脱させて第二の貫通孔４４Ｃに係止させ、ナイフ部２を露出位置から収納位置に戻す際は、ロック解除部４１により第二の貫通孔４４Ｃに係止したロック爪２６を離脱させ、ばね部材６の付勢によりナイフ部２を収納位置まで戻し、ロック爪２６を第一の貫通孔４４Ｂに係止させる。カバー３の刃体２３を露出させる側の先端には、ナイフ部２を挟持して刃体の安定を図るホールド部４７が設けられる。
【選択図】図１【図１】
0005292499.tif 000002
【図２】
0005292499.tif 000003
【図３】
0005292499.tif 000004
【図４】
0005292499.tif 000005
【図５】
0005292499.tif 000006
【図６】
0005292499.tif 000007
【図７】
0005292499.tif 000008
【図８】
0005292499.tif 000009
【図９】
0005292499.tif 000010
【図１０】
0005292499.tif 000011
【図１１】
0005292499.tif 000012
【図１２】
0005292499.tif 000013
【図１３】
0005292499.tif 000014
【図１４】
0005292499.tif 000015
【図１５】
0005292499.tif 000016
【図１６】
0005292499.tif 000017
【図１７】
0005292499.tif 000018
【図１８】
0005292499.tif 000019
【図１９】
0005292499.tif 000020
【図２０】
0005292499.tif 000021
【図２１】
0005292499.tif 000022
【図２２】
0005292499.tif 000023
【図２３】
0005292499.tif 000024
【図２４】
0005292499.tif 000025
【図２５】
0005292499.tif 000026
【図２６】
0005292499.tif 000027
【図２７】
0005292499.tif 000028